(57)【要約】【課題】車両に搭載された空調装置を簡易な操作で設定することができ、また車室内の空気をより確実に所望の状態に設定することができる車載情報処理装置を提供する。【解決手段】空調装置の設定可能な設定項目、及び設定項目ごとに定められた選択項目が記憶された記憶部と、横方向の第１のユーザー操作及び縦方向の第２のユーザー操作を検出する入力検出部と、設定項目及び選択項目をタッチパネルディスプレイ２０に表示させ、第１のユーザー操作及び第２のユーザー操作が実行された際に空調装置を制御する表示制御部とを備え、表示制御部は、第１のユーザー操作が検出されたとき複数の設定項目のうちの一つを選択状態とし、第２のユーザー操作が検出されたとき複数の選択項目のうちの一つを選択状態とし、選択された選択項目により変化する空調装置から車室内へ送風される空気の状態をタッチパネルディスプレイ２０にアニメーションで表示する。【選択図】図２
2017049788.tif 000002
【特許請求の範囲】
【請求項１】
空調装置の設定可能な設定項目、及び前記設定項目ごとに定められた選択項目が記憶された記憶部と、
前記設定項目及び前記選択項目を表示し、入力操作を受け付ける入出力装置と、
前記入力操作に基づいて第１のユーザー操作及び第２のユーザー操作を検出する入力検出部と、
前記設定項目及び前記選択項目を前記入出力装置に表示させ、前記第１のユーザー操作及び前記第２のユーザー操作が実行された際に前記空調装置を制御する表示制御部と、を備え、
前記表示制御部は、
前記第１のユーザー操作が検出されたときに、複数の前記設定項目のうちの一つを選択状態とし、
前記第２のユーザー操作が検出されたときに、複数の前記選択項目のうちの一つを選択状態とするとともに、選択された前記選択項目により変化する前記空調装置から車室内へ送風される空気の状態を前記入出力装置にアニメーションで表示する
ことを特徴とする車載情報処理装置。
【請求項２】
請求項１に記載する車載情報処理装置において、
前記表示制御部は、前記選択項目を前記入出力装置にアニメーションで表示する
ことを特徴とする車載情報処理装置。
【請求項３】
請求項２に記載する車載情報処理装置において、
前記設定項目は、前記空調装置から送られる風向であり、
前記選択項目は、前記空調装置から送られる風向の種類であり、
前記表示制御部は、前記空調装置から車室内へ送風される空気の状態を前記入出力装置にアニメーションで表示するとともに、前記風向に関する前記選択項目をアニメーションで前記入出力装置に表示する
ことを特徴とする車載情報処理装置。
【請求項４】
請求項１から請求項３の何れか一項に記載する車載情報処理装置において、
前記設定項目は、前記空調装置から送られる空気の温度であり、
前記選択項目は、前記空調装置から送られる空気の温度として設定可能な設定値であり、
前記表示制御部は、前記空調装置から車室内へ送風される空気の色を、前記設定値が高いほど暖色系が強くなるような態様で前記入出力装置に表示する
ことを特徴とする車載情報処理装置。
【発明の詳細な説明】
【技術分野】
【０００１】
本発明は、空調装置の温度や風量等を直観的に設定することができる車載情報処理装置に関する。
【背景技術】
【０００２】
車両には、空調装置、音響装置、ナビゲーションシステムなど様々な車載機器が搭載されている。車両に搭載されたタッチパネルディスプレイに、各種機器を設定するメニューを表示し、そのメニューが利用者に選択されたときに、各種機器を選択された設定内容で動作させる装置が提案されている（例えば、特許文献１参照）。
【０００３】
このように各種機器をタッチパネルディスプレイで集中的に操作可能とした装置では、メニューが階層的に設定されている。このため、利用者は、所望する機能にたどり着くまで階層的なメニューを追わなければならない。例えば、空調装置の場合、温度、風量、風向等の設定項目がある。現設定を確認する場合、又は特定の設定項目について設定する場合では、階層的なメニューを順次選択し、各設定項目を表示させる操作が必要となる。このため、利用者の負担が増加してしまう。
【０００４】
また、利用者は、タッチパネルディスプレイに表示されるメニューを見て温度、風向、風量等の設定を行う。この空調装置の設定に関するメニューは、「設定温度２４℃」「風向：足下」「風量２」など設定値を端的に表すのみである。したがって、空調装置のどの部分からどの様な向きで風が送られ、その風は温かいのか又は冷たいのか、といった具体的な車室内の空気の状態を把握しきれない場合がある。このため、空調装置を設定したにもかかわらず、実際には所望の空気の状態が得られない場合もある。
【先行技術文献】
【特許文献】
【０００５】
【特許文献１】特許第５２３２９２０号公報
【発明の概要】
【発明が解決しようとする課題】
【０００６】
本発明は上記事情に鑑みてなされたもので、車両に搭載された空調装置を簡易な操作で設定することができ、また車室内の空気をより確実に所望の状態に設定することができる車載情報処理装置を提供することを目的とする。
【課題を解決するための手段】
【０００７】
上記課題を解決する本発明の第１の態様は空調装置の設定可能な設定項目、及び前記設定項目ごとに定められた選択項目が記憶された記憶部と、前記設定項目及び前記選択項目を表示し、入力操作を受け付ける入出力装置と、前記入力操作に基づいて第１のユーザー操作及び第２のユーザー操作を検出する入力検出部と、前記設定項目及び前記選択項目を前記入出力装置に表示させ、前記第１のユーザー操作及び前記第２のユーザー操作が実行された際に前記空調装置を制御する表示制御部と、を備え、前記表示制御部は、前記第１のユーザー操作が検出されたときに、複数の前記設定項目のうちの一つを選択状態とし、前記第２のユーザー操作が検出されたときに、複数の前記選択項目のうちの一つを選択状態とするとともに、選択された前記選択項目により変化する前記空調装置から車室内へ送風される空気の状態を前記入出力装置にアニメーションで表示することを特徴とする車載情報処理装置にある。
【０００８】
かかる第１の態様では、空調装置に関する設定項目を表示部に一覧表示し、その設定項目に設定可能な選択項目を表示する。このような表示態様により、一つの入出力装置の画面で空調装置の設定項目全体を容易に把握することができる。さらに、入出力装置には、空調装置から車室内へ送風される空気の状態をアニメーションで表示される。このようなアニメーションの表示により、空調装置のどの部分からどの様な向きで風が送られ、その風は温かいのか又は冷たいのか、といった具体的な車室内の空気の状態を利用者に容易に把握させることができる。
【０００９】
本発明の第２の態様は、第１の態様に記載する車載情報処理装置において、前記表示制御部は、前記選択項目を前記入出力装置にアニメーションで表示することを特徴とする車載情報処理装置にある。
【００１０】
かかる第２の態様では、選択項目を選択する際に、空調装置がどの様な状態に設定されるかを容易に把握することができる。
【００１１】
本発明の第３の態様は、第２の態様に記載する車載情報処理装置において、前記設定項目は、前記空調装置から送られる風向であり、前記選択項目は、前記空調装置から送られる風向の種類であり、前記表示制御部は、前記空調装置から車室内へ送風される空気の状態を前記入出力装置にアニメーションで表示するとともに、前記風向に関する前記選択項目をアニメーションで前記入出力装置に表示することを特徴とする車載情報処理装置にある。
【００１２】
かかる第３の態様では、空調装置からの風向がどのような状態に設定されるかを容易に把握することができる。
【００１３】
本発明の第４の態様は、第１から第３の何れか一つの態様に記載する車載情報処理装置において、前記設定項目は、前記空調装置から送られる空気の温度であり、前記選択項目は、前記空調装置から送られる空気の温度として設定可能な設定値であり、前記表示制御部は、前記空調装置から車室内へ送風される空気の色を、前記設定値が高いほど暖色系が強くなるような態様で前記入出力装置に表示することを特徴とする車載情報処理装置にある。
【００１４】
かかる第４の態様では、空調装置から車室内へ送風される空気が温かい又は冷たいかを容易に把握することができる。
【発明の効果】
【００１５】
本発明によれば、車両に搭載された空調装置を簡易な操作で設定することができ、また車室内の空気をより確実に所望の状態に設定することができる車載情報処理装置が提供される。
【図面の簡単な説明】
【００１６】
【図１】車載情報処理装置を備えた車両の概略構成図である。
【図２】タッチパネルディスプレイに表示された画面の例を示す図である。
【図３】タッチパネルディスプレイに表示された画面の例を示す図である。
【図４】タッチパネルディスプレイに表示された画面の例を示す図である。
【図５】タッチパネルディスプレイに表示された画面の例を示す図である。
【図６】タッチパネルディスプレイに表示された画面の例を示す図である。
【図７】タッチパネルディスプレイに表示された画面の例を示す図である。
【図８】タッチパネルディスプレイに表示された画面の例を示す図である。
【発明を実施するための形態】
【００１７】
以下、本発明を実施するための形態について説明する。なお、実施形態の説明は例示であり、本発明は以下の説明に限定されない。
【００１８】
〈実施形態１〉
図１は車載情報処理装置を備えた車両の概略構成図である。車両Ｉは、空調装置１と、車載情報処理装置１０とを搭載している。
【００１９】
空調装置１は、車載情報処理装置１０からの制御により設定された温度、風量、風向で空気を車室内に供給する。車室内のダッシュボード２には、運転席３及び助手席４のそれぞれの正面に、空気の第１送風口５及び第２送風口６が設けられている。また、ダッシュボード２の車室前方には車室上方に向けて空気を供給する第３送風口７が設けられている。空調装置１から送られる空気は各第１送風口５、第２送風口６及び第３送風口７から車室内へ送られるようになっている。
【００２０】
空調装置１は、第１送風口５及び第２送風口６のそれぞれから運転席３及び助手席４に供給する空気の温度を個別に設定することが可能となっている。また、第１送風口から第３送風口から共通した風量で空気を供給することが可能となっている。さらに、第１送風口５及び第２送風口から出る風向を替えることが可能となっている。
【００２１】
車載情報処理装置１０は、各種処理を実行する本体部１１と、各種情報を表示するとともに、入力操作を受け付ける入出力装置の一例であるタッチパネルディスプレイ２０とを備えている。
【００２２】
タッチパネルディスプレイ２０は、本体部からの制御により各種情報を画面に表示し、また、画面に対する入力操作を電気信号として本体部に伝達する。この電気信号は、画面内において、画面に触れた指の位置を表す信号である。また、タッチパネルディスプレイ２０は、運転席３及び助手席４の間に位置するよう、ダッシュボード２に取り付けられている。なお、入出力装置としては、タッチパネルディスプレイ２０に限定されない。例えば、液晶ディスプレイなどの出力装置と、タッチパネルなどの入力装置とがそれぞれ個別に車載されていてもよい。
【００２３】
本体部１１は、Ｅｌｅｃｔｒｏｎｉｃ  Ｃｏｎｔｒｏｌ  Ｕｎｉｔ（ＥＣＵ）として構成されている。本体部１１は、記憶部１２と、入力検出部１３と、表示制御部１４とを備えている。
【００２４】
記憶部１２は、空調装置１に設定することができる設定項目及び設定項目ごとに定められた選択項目が記憶されている。設定項目は、その名称や、タッチパネルディスプレイ２０に表示される際の表示形態などの情報を含む。表示形態とは、設定項目や選択項目がタッチパネルディスプレイ２０に表示される際の画像やその画像の位置、大きさ、範囲等である。選択項目は、各設定項目について設定される設定値であり、後述するようにタッチパネルディスプレイ２０を介して利用者に提示され、選択される情報である。表１に設定項目及び選択項目を例示する。
【００２５】
【表１】
2017049788.tif 000003
【００２６】
表１に示すように、「運転席側の温度」「風量」「風向「助手席側の温度」という４つの設定項目が記憶部１２に記憶されている。また、「運転席側の温度」及び「助手席側の温度」については、「１６℃、１７℃、・・・、３５℃」という選択項目が記憶部１２に記憶されている。同様に「風量」については風量の強さを段階的に表す数値「１、２、３、４・・・」という選択項目が記憶部１２に記憶されている。「風向」については風向の種類、すなわち搭乗者のどの部位に向かう風であるかを表す「足下」「上半身」「足下及び上半身」といった選択項目が記憶部１２に記憶されている。「足下」などの選択項目が空調装置１に設定されると、空調装置１は風向を足下などに向けて送出するように第１送風口５及び第２送風口６を制御するようになっている。
このように選択項目及び選択項目を記憶部１２に記憶することで、特定の設定項目に属する選択項目を読み出すことが可能となっている。
【００２７】
入力検出部１３は、タッチパネルディスプレイ２０への入力操作を表す電気信号に基づいて、第１のユーザー操作又は第２のユーザー操作を検出する。ユーザー操作とは、タッチパネルディスプレイ２０に触れた指の一連の動きをいう。ユーザー操作の例としては、スライド動作、クリック動作、ピンチ動作などである。
【００２８】
スライド動作は、画面で指を上下方向、左右方向に移動させる動きをいう。入力検出部１３は、タッチパネルディスプレイ２０の画面に触れた指の位置の変化に基づいて、スライド動作を検出する。指が始点から左方向に移動したスライド動作を左スライド動作と称する。同様に指が始点から右方向、上方向、下方向に移動したスライド動作を右スライド動作、上スライド動作、下スライド動作と称する。
【００２９】
本実施形態では、第１のユーザー操作は、左スライド動作及び右スライド動作とし、第２のユーザー操作は、上スライド動作及び下スライド動作とする。
【００３０】
なお、クリック動作とは、タッチパネルディスプレイ２０の画面を指が短時間に一点を触った動作である。また、ピンチ動作とは、タッチパネルディスプレイ２０の画面を二本の指で触れた状態で、その二本の指先が接近又は離隔する動作である。
【００３１】
表示制御部１４は、設定項目及び選択項目をタッチパネルディスプレイ２０に表示させ、設定項目及び選択項目に対して第１のユーザー操作及び第２のユーザー操作が実行された際に空調装置１を制御する。
【００３２】
図２から図６を用いて、表示制御部１４による表示及び制御について説明する。図２から図６は、タッチパネルディスプレイに表示された画面の例を示す図である。
【００３３】
図２に示すように、表示制御部１４は、タッチパネルディスプレイ２０の画像を表示する表示部２１に、設定項目を表示する。本実施形態では、横方向に並設された４つの設定項目からなる画像が表示部２１に表示されている。
【００３４】
表示制御部１４は、各設定項目を、矩形状のカード型の画像として表示部２１に表示する。表示部２１の最も左側には、「運転席側の温度」に関する設定項目が表示されている。この設定項目の矩形の領域を表示領域Ａと称する。同様に、表示領域Ａの右側には、「風量」「風向」「助手席側の温度」に関する各設定項目の表示領域Ｂ、表示領域Ｃ、及び表示領域Ｄが横方向に並設して表示されている。なお、これらの表示領域Ａから表示領域Ｄを特に区別しないときは、単に表示領域ともいう。
【００３５】
まず、表示制御部１４は、初期状態として、表示部２１の最も左側の表示領域Ａが選択された状態で表示する。選択状態を表す態様としては、利用者が選択した設定項目であることを識別できるような態様であれば特に限定はない。本実施形態では、設定項目の表示領域を囲う高輝度色の枠Ｆが選択状態を表す態様である。
【００３６】
また、表示制御部１４は、各表示領域Ａから表示領域Ｄに、各設定項目に関連した選択項目を表示する。表１に示したように、各設定項目には複数の選択項目が関連している。表示制御部１４は、各表示領域Ａから表示領域Ｄにそれらの選択項目を縦方向に並べて表示する。なお、各表示領域に表示される選択項目の表示態様、すなわち選択項目をどの様に表示領域に表示するかを表す文字や画像等の情報は、記憶部１２に予め記憶されている。
【００３７】
例えば、表示領域Ａについては、運転席側の温度に関連した選択項目「２５、２６、２７、２８」（単位は℃）が縦方向に表示されている。
【００３８】
表示領域Ｂについては、風量に関連した選択項目「１、２、３、４，・・・」を表す複数のバー２２が縦方向に並設されている。複数のバー２２の総数は設定可能な最大風量に対応しており、黒塗りのバー２２の個数は現在設定されている風量を表している。
【００３９】
表示領域Ｃについては、着席した搭乗者を側面から見た人体図形２３と、人体図形２３に風を表す矢印２４とを一組にした画像が風向に関連した選択項目を表している。このような画像が縦方向に３つ並設されている。人体図形２３の頭部分を通過する矢印２４は、風向の選択項目が「上半身」であることを表している。人体図形２３の脚を通過する矢印２４は、風向の選択項目が「足下」であることを表している。人体図形２３の頭部分及び脚を通過する矢印２４は、風向の選択項目が「上半身及び足下」であることを表している。
【００４０】
また、表示領域に表示される選択項目をアニメーション表示してもよい。例えば、図４を用いて表示領域Ｃの選択項目をアニメーション表示することについて説明する。図４（ａ）及び図４（ｂ）の中央部には、人体図形２３の足下を二本の矢印２４が通過している。図４（ａ）から図４（ｂ）に掛けて、これらの二本の矢印２４はうねり、互いに交わる箇所を変化させながら表示されている。このような図４（ａ）から図４（ｂ）にわたって矢印２４を連続的に変化させるアニメーションで表示してもよい。これにより、どこに送風されるかをより一層理解しやすく利用者に提示できる。
【００４１】
図２に示すように、表示領域Ｄについては、助手席側の温度に関連した選択項目「２５、２６、２７、２８」（単位は℃）が縦方向に表示されている。
【００４２】
さらに、表示制御部１４は、表示部２１に並んだ表示領域よりも右側に、空調装置から車室内へ送風される空気の状態を表す画像Ｅを表示する。この画像Ｅは、車室内部から車室前方を見た画像であり、実際の搭乗者の視点にたった車室内部を表している。すなわち、画像Ｅの手前側には運転席３及び助手席４が表示され、それらの前方にダッシュボード２が表示されている。そしてダッシュボード２に設けられた第１送風口５から第３送風口７（図示せず）の近傍から、空気が送出される様子を表す領域Ｘから領域Ｚが表示されている。領域Ｘから領域Ｚは波打った四角状を有し、所定の彩色がなされている。領域Ｘは第１送風口５から運転席３へ向かう風を表し、領域Ｙは第２送風口６から助手席４へ向かう風を表し、領域Ｚは第３送風口７から上方へ向かう風を表している。
【００４３】
このような画像Ｅは、各設定項目の選択項目に応じてアニメーションで表示されている。「運転席側の温度」「助手席側の温度」については、例えば、表示制御部１４は、現在設定されている選択項目である温度が高いほど強い暖色系の色で、低い温度であるほど強い寒色系の色で領域Ｘから領域Ｚを彩色する。これにより温かい風又は冷たい風が送られていることを利用者に認識させることができる。
【００４４】
「風量」については、例えば、第１送風口５から第３送風口７のそれぞれから各領域Ｘから領域Ｙが徐々に伸張するようにアニメーション表示する。そして、風量の値が大きいほど領域Ｘから領域Ｚの最大高さを高くする。又は、領域Ｘから領域Ｚを車幅方向に延びた縞模様で塗りつぶす。そして、現在設定されている選択項目である風量の値が高ければ高いほど、第１送風口５及び第２送風口６から運転席３及び助手席４側に向けて縞模様を早く移動するようにアニメーション表示する。このようなアニメーション表示により、設定した風量に応じた強い風が送られていることを利用者に認識させることができる。
【００４５】
「風向」については、例えば、表示制御部１４は、現在設定されている選択項目である風向が足下であれば、領域Ｘ又は領域Ｙのみを表示して領域Ｚを表示しない。これにより、足下に風が送られていることを利用者に認識させることができる。風向が上半身であれば、領域Ｚのみを表示して領域Ｘ及び領域Ｙを表示しない。これにより、上半身に風が送られていることを利用者に認識させることができる。また、風向が足下及び上半身であれば、領域Ｘから領域Ｚを表示する。これにより、足下及び上半身に風が送られていることを利用者に認識させることができる。
【００４６】
上述した例では、風量について、縞模様を連続的に移動させることで、風量の強さをアニメーションで表示することになる。もちろん、アニメーション表示はこのような態様に限定されない。例えば、高い温度から低い温度に変更する際には、領域Ｘから領域Ｙを暖色系から寒色系に徐々に色を変化させるようなアニメーション表示をしてもよい。また、風向については、風向を変化させる際に、例えば、足下への風向を止めて上半身への風向に切り替える際には、徐々に領域Ｘ及び領域Ｙを消し、徐々に領域Ｚが現れるようなアニメーションで表示してもよい。
【００４７】
次に、図３に示すように、表示制御部１４は、第１のユーザー操作が検出されたとき、他の選択項目を選択状態とする。本実施形態では、入力検出部１３が第１のユーザー操作として右スライド動作を検出したとき、表示制御部１４は、表示部２１において各設定項目の表示領域Ａから表示領域Ｄを移動させず、表示領域Ａとは異なる他の表示領域Ｂを選択状態とする。
【００４８】
そして、表示制御部１４は、表示領域Ｂの周囲を高輝度色の枠Ｆで囲うように表示し、表示領域Ａの周囲の表示を元に戻す。すなわち、表示制御部１４は、表示部２１において表示領域Ａから表示領域Ｄの表示位置を変更せずに、枠Ｆの位置を横方向に移動させ、隣の表示領域に選択状態が移ったことを利用者に提示する。
【００４９】
このように、表示制御部１４は、第１のユーザー操作に基づいて、表示部２１に表示された設定項目の何れか一つを選択状態とし、利用者が設定変更しようとする対象の設定項目を特定する。なお、特に図示しないが、表示制御部１４は、右スライド動作と同様に、左スライド動作が検出されたとき、一つ左側の表示領域を選択状態とする。
【００５０】
次に、第２のユーザー操作が検出された時の処理について説明する。図５に示すように、空調装置１の設定項目「風量」が第１のユーザー操作によって選択状態にされたとする。選択項目は風量「２」であるとする。このとき、画像Ｅは、風量「２」に応じて領域Ｘから領域Ｚの高さが比較的短く表示されている。
【００５１】
次に、図６に示すように、表示制御部１４は、第２のユーザー操作が検出されたときに、風量を１つ増加させて「３」とし、表示領域Ｂに表示されたバー２２を一つ黒塗りにする。さらに、表示制御部１４は、画像Ｅを更新する。すなわち、風量「３」に応じて領域Ｘから領域Ｚの高さを高くした画像Ｅを表示する。特に図示しないが、図４から図５に至る間に、徐々に領域Ｘから領域Ｚの高さが高くなるようにアニメーション表示してもよい。
【００５２】
なお、特に図示しないが、表示制御部１４は、他の設定項目についても同様に第２のユーザー操作に基づいて一つの選択項目を選択し、その結果に合わせて表示領域及び画像Ｅを更新する。
【００５３】
以上に説明したように、本実施形態に係る車載情報処理装置１０では、空調装置１に関する設定項目を表示部２１に一覧表示し、その設定項目の表示領域ＡからＤに、設定可能な選択項目を表示する。このような表示態様により、一つの表示部２１上で空調装置１の設定項目全体を容易に把握することができる。すなわち、空調装置１の状態を同時に簡単に把握することができる。
【００５４】
従来では、設定項目及び選択項目のように階層的な関係が存在する場合、設定項目を選択したのち、その設定項目に属する選択項目を選択する操作を行う必要がある。しかし、本発明の車載情報処理装置１０では、このような階層を追って選択項目を選択する必要がなく、表示部２１に表示された設定項目及び選択項目に対する二種類のユーザー操作で設定操作を実現することができる。
【００５５】
さらに、車載情報処理装置１０では、設定項目及び選択項目のみならず、空調装置から車室内へ送風される空気の状態を表す画像Ｅが表示される。
【００５６】
表示領域Ａから表示領域Ｄに表示された選択項目は、運転席側又は助手席側が何℃に設定されるか、風量はどのぐらいに設定されるか、風向はどのような向きであるか、といったように、設定した結果として得られる効果を利用者に確認させる作用を有する。一方、画像Ｅは、どの様な風向・風量・温度で送風されるか、といったように、設定内容がどのように実現されるかを視覚的に利用者に確認させる作用を有する。
【００５７】
車載情報処理装置１０は、そのような画像Ｅを表示するので、空調装置１のどの部分からどの様な向きで風が送られ、その風は温かいのか又は冷たいのか、といった具体的な車室内の空気の状態を利用者に容易に把握させることができる。これにより、利用者は、空調装置１を設定して、所望の状態の空気で車室を快適にすることができる。
【００５８】
このように、車載情報処理装置１０によれば、車両に搭載された空調装置を簡易な操作で設定することができ、また車室内の空気をより確実に所望の状態に設定することができる。
【００５９】
また、本発明の車載情報処理装置１０では、表示部２１に表示される選択項目をアニメーション表示する。これにより、選択項目を選択する際にどの様な状態に設定されるかを容易に把握することができる。
【００６０】
例えば、表示領域Ｃにおいて風向の設定項目をアニメーション表示することで、空調装置１からの風向がどのような状態に設定されるかを容易に把握することができる。
【００６１】
さらに、本発明の車載情報処理装置１０は、空調装置１から車室内へ送風される空気の色を、温度の設定値が高いほど暖色系が強くなるように表示した画像Ｅを形成することができる。これにより、空調装置１から車室内へ送風される空気が温かい、又は冷たいかを容易に把握することができる。
【００６２】
また、どの設定項目及び選択項目についても、第１のユーザー操作（上スライド・下スライド動作）及び第２のユーザー操作（左スライド動作・右スライド動作）の二種類で統一的に選択することができる。これにより、利用者に統一的で分かりやすい操作体系を提供することができ、設定操作の負担を軽減できる。
【００６３】
また、本発明の車載情報処理装置１０では、タッチパネルディスプレイ２０は、運転席３と助手席４の間に配置されている。そして、表示部２１において各設定項目の表示領域Ａから表示領域Ｄは、運転席３に近い左側に表示されている。これにより、運転席３から表示領域Ａから表示領域Ｄに触れて操作することを容易にすることができる。また、表示領域Ａから表示領域Ｄを選択したり、選択項目を選択する際に運転者の視線移動を少なくすることができる。
【００６４】
〈実施形態２〉
本実施形態では、選択項目の表示及び選択方法についての別態様を説明する。図７はタッチパネルディスプレイ２０に表示された画面の例を示す図である。なお、実施形態１と同一のものには同一の符号を付し、重複する説明は省略する。
【００６５】
ここでは、設定項目「運転席側の温度」の選択項目を表示し、何れか一つの選択項目を選択する処理について説明する。同図には、設定項目「運転席側の温度」が選択状態とされ、その選択状態を表す枠Ｆが表示領域Ａを囲んで表示されている。
【００６６】
図７（ａ）に示すように、表示制御部１４は、表示領域Ａのうち所定位置Ｐを中心に空調装置１の温度の選択項目を縦方向に並べて表示する。具体的には、表示制御部１４は、所定位置Ｐを表示領域Ａのほぼ中央部とし、運転席側の温度の選択項目である「１６℃から３５℃」のうち、空調装置１の運転席側の現在の設定温度（ここでは「２７℃」）が所定位置Ｐに表示されるように、その設定温度前後の「２５から２８℃」を縦方向に並べて表示する。
【００６７】
次に、図７（ｂ）に示すように、第２のユーザー操作として上スライド動作が検出されたとき、設定温度を下げる処理を行う。具体的には、上スライド動作が検出されたとき、表示制御部１４は、設定温度「２６℃」が所定位置Ｐに表示されるように、その設定温度前後の「２４から２７℃」を縦方向に並べて表示する。
【００６８】
表示制御部１４は、所定位置Ｐに表示された選択項目を、選択された状態を示す態様として表示する。本実施形態では、所定位置Ｐに表示される選択項目を太字で表示する態様としてある。具体的には、表示制御部１４は、新たに所定位置Ｐに表示された次の選択項目である「２６℃」を、選択された状態を示す態様として太字で表示し、第２のユーザー操作がなされる前に選択されていた「２７℃」については元の表示に戻す。
【００６９】
すなわち、表示制御部１４は、選択項目については第２のユーザー操作に基づいて縦方向に移動させて表示する一方で、選択項目が選択された状態を表す太字による表示は、表示領域Ａ内において常に一定の所定位置Ｐのみで行うようにする。このようにして、表示制御部１４は、選択状態にある選択項目は常に所定位置Ｐで表示しながら、選択項目が変更されたことを利用者に提示する。
【００７０】
その後、表示制御部１４は、このようにして選択された選択項目が「２７℃」から「２６℃」に変更したとき、その変更後の選択項目に基づいて空調装置１を制御する。表示領域Ａは運転席側の温度に関するものであるから、表示制御部１４は、空調装置１に対して、運転席側の温度を２６℃に設定する制御を行う。
【００７１】
なお、特に図示しないが、実施形態１で示したように、空調装置から車室に送風される空気の温度「２７℃」から「２６℃」へ変更するアニメーションで表示する。具体的には、画像Ｅの領域Ｘから領域Ｚに適用する色を若干寒色系に変化するようにアニメーション表示する。
【００７２】
以上に説明したように、本発明の車載情報処理装置１０では、縦方向の上スライド動作・下スライド動作によって選択項目を選択する。それらの動作により選択項目は縦方向に移動するが、選択状態にある選択項目は常に表示領域内の所定位置Ｐに表示される。このような表示制御により、利用者の視線を上下方向に移動させることなく、所定位置Ｐに合わせたままとすることができる。これにより、利用者の視線移動を少なくすることができる。例えば、車両の前方とタッチパネルディスプレイ２０とを視界に入れたとき、下スライド動作を行っても、選択項目を追って視線を大幅に下げなくてすみ、車両の前方から目を大きく離さずにタッチパネルディスプレイ２０の操作を行える。
【００７３】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００７４】
例えば、実施形態１では、空調装置１から車室に送られる風を領域Ｘから領域Ｙのように略四角状としたが、このような態様に限定されない。例えば、図８に示すように、風を矢印で表してもよい。例えば、風量が大きいほど、第３送風口７から延びる矢印の数を多くして、風量が大きいことを表してもよい。また、風量が小さいほど第１送風口５から延びる矢印の幅を細くし、風量が大きいほど第２送風口６から延びる矢印の幅を太くするように表示してもよい。
【００７５】
また、横方向のスライド動作を第１のユーザー動作とし、縦方向のスライド動作を第２のユーザー動作としたが、これに限定されない。第１のユーザー動作及び第２のユーザー動作は、タッチパネルディスプレイ２０に入力される動作であり、互いに区別できる動作であればよい。
【００７６】
横方向に設定項目を並設し、縦方向に選択項目を並設したがこれに限定されず、任意の異なる２つの方向のそれぞれに、設定項目及び選択項目を並設してもよい。
【産業上の利用可能性】
【００７７】
本発明は、自動車の産業分野で利用することができる。
【符号の説明】
【００７８】
Ｉ     車両
１     空調装置
１０   車載情報処理装置
１１   本体部（ＥＣＵ）
１２   記憶部
１３   入力検出部
１４   表示制御部
２０   タッチパネルディスプレイ
２１   表示部
【図１】
2017049788.tif 000004
【図４】
2017049788.tif 000005
【図８】
2017049788.tif 000006
【図２】
2017049788.tif 000007
【図３】
2017049788.tif 000008
【図５】
2017049788.tif 000009
【図６】
2017049788.tif 000010
【図７】
2017049788.tif 000011